(57)【要約】【課題】回路コストを抑制し、かつ、矩形波でない電流の測定を容易にするＬＥＤ点灯装置を提供する。【解決手段】ＬＥＤ点灯装置３０は、異なる発光色を有する複数のＬＥＤ負荷２１〜２４と、複数のＬＥＤ負荷２１〜２４に電力を供給する電源回路３１と、複数のＬＥＤ負荷２１〜２４のそれぞれに直列接続されたスイッチング素子Ｍ３〜Ｍ６と、スイッチング素子Ｍ３〜Ｍ６を順番に導通させることにより複数のＬＥＤ負荷２１〜２４を順送り点灯させる制御回路３３とを備え、制御回路３３は、少なくとも１つの検出箇所において、電源回路３１から供給される電流量に依存する特性値を検出し、特性値を複数のＬＥＤ負荷２１〜２４を流れる電流値に換算し、少なくとも１つの検出箇所の個数は、複数のＬＥＤ負荷２１〜２４の数よりも少ない。【選択図】図１
2020095789.tif 000002
【特許請求の範囲】
【請求項１】
ＬＥＤ点灯装置であって、
異なる発光色を有する複数のＬＥＤ（Light Emitting Diode）負荷と、
前記複数のＬＥＤ負荷に電力を供給する電源回路と、
前記複数のＬＥＤ負荷のそれぞれに直列接続されたスイッチング素子と、
前記スイッチング素子を順番に導通させることにより前記複数のＬＥＤ負荷を順送り点灯させる制御回路と、を備え、
前記制御回路は、少なくとも１つの検出箇所において、前記電源回路から供給される電流量に依存する特性値を検出し、前記特性値を前記複数のＬＥＤ負荷を流れる電流値に換算し、
前記少なくとも１つの検出箇所の個数は、前記複数のＬＥＤ負荷の数よりも少ない
ＬＥＤ点灯装置。
【請求項２】
前記少なくとも１つの検出箇所は、それぞれ前記電源回路の内部に設けられる
請求項１に記載のＬＥＤ点灯装置。
【請求項３】
前記電源回路は、
外部から供給される直流電圧を受ける入力電源線に接続されたハイサイドスイッチと、
接地線と前記ハイサイドスイッチとに接続されたローサイドスイッチと、
前記ハイサイドスイッチと前記ローサイドスイッチとの接続点に接続され、前記複数のＬＥＤ負荷に電流を供給するためのインダクタとを備え、
前記少なくとも１つの検出箇所は、
前記ハイサイドスイッチと前記入力電源線との接続点である第１の検出箇所、
前記ハイサイドスイッチと前記ローサイドスイッチとの接続点である第２の検出箇所、
および、前記インダクタと前記複数のＬＥＤ負荷との接続点である第３の検出箇所のうちの少なくとも１つを含む
請求項１または２に記載のＬＥＤ点灯装置。
【請求項４】
前記電源回路は、外部からの直流電源電圧を受けるための電源入力端子と、前記電源入力端子に接続された内部電源配線とを有し、
前記少なくとも１つの検出箇所は、さらに第４の検出箇所を含み、
前記第４の検出箇所は、前記内部電源配線の一部、または、前記電源入力端子である
請求項３に記載のＬＥＤ点灯装置。
【請求項５】
前記少なくとも１つの検出箇所は、前記第１の検出箇所から前記第３の検出箇所のうちの１つ、および、前記第４の検出箇所の２つである
請求項４に記載のＬＥＤ点灯装置。
【請求項６】
前記制御回路は、前記複数のＬＥＤ負荷のそれぞれに割り当てられた周期毎に前記特性値を検出する、
請求項３から５のいずれか１項に記載のＬＥＤ点灯装置。
【請求項７】
前記制御回路は、前記少なくとも１つの検出箇所における前記インダクタを流れる電流の変化点である第１変化点から第２変化点までの時間の長さを、前記特性値として検出する
請求項３から６のいずれか１項に記載のＬＥＤ点灯装置。
【請求項８】
前記第１変化点および前記第２変化点の一方は、前記インダクタを流れる電流が非０から０への変化点である
請求項７に記載のＬＥＤ点灯装置。
【請求項９】
前記制御回路は、前記複数のＬＥＤ負荷のそれぞれに割り当てられた周期毎に前記特性値を検出し、
前記特性値は、前記ローサイドスイッチがターンオンしたタイミングから、前記ローサイドスイッチに流れる回生電流が非０から０になるタイミングまでの期間である
請求項３から５のいずれか１項に記載のＬＥＤ点灯装置。
【請求項１０】
前記制御回路は、前記複数のＬＥＤ負荷のそれぞれに割り当てられた周期毎に前記特性値を検出し、
前記特性値は、当該周期内の時間であって前記インダクタに流れる電流が０である時間である
請求項３から５のいずれか１項に記載のＬＥＤ点灯装置。
【請求項１１】
前記制御回路は、前記複数のＬＥＤ負荷のそれぞれに割り当てられた周期毎に前記特性値を検出し、
前記特性値は、当該周期内の時間であって前記インダクタに流れる電流が非０である時間である
請求項３から５のいずれか１項に記載のＬＥＤ点灯装置。
【請求項１２】
前記制御回路は、前記複数のＬＥＤ負荷のそれぞれに割り当てられた周期毎に前記特性値を検出し、
前記特性値は、当該周期内における所定条件に対応する前記インダクタに流れる電流値である
請求項３から５のいずれか１項に記載のＬＥＤ点灯装置。
【請求項１３】
前記特性値は、当該周期内における前記インダクタ電流のピーク値である
請求項１２項に記載のＬＥＤ点灯装置。
【請求項１４】
前記特性値は、当該周期内における前記インダクタ電流の平均値である
請求項１２項に記載のＬＥＤ点灯装置。
【請求項１５】
請求項１に記載のＬＥＤ点灯装置を備える照明器具。
【発明の詳細な説明】
【技術分野】
【０００１】
本発明は、異なる発光色を有する複数のＬＥＤ（Light Emitting Diode）負荷を点灯させるＬＥＤ点灯装置に関する。
【背景技術】
【０００２】
特許文献１は、異なる発光色を有する複数のＬＥＤを順次切り替えて点灯させ、かつ、各ＬＥＤの明るさおよび混合割合を調整することにより調光および調色可能な照明装置を開示している。この特許文献１は、ＬＥＤの電流値を検出する検出ユニットを備え、検出した電流値に応じて複数のＬＥＤへの出力電圧または出力電流を制御している。
【先行技術文献】
【特許文献】
【０００３】
【特許文献１】特開２００４−３１１６３５号公報
【発明の概要】
【発明が解決しようとする課題】
【０００４】
しかしながら、上記従来技術によれば、異なる発光色を有する複数のＬＥＤの電流値を検出するためには複数のＬＥＤと同数の（つまり発光色と同数の）電流検出回路を備える必要があり、複数の電流検出回路がコストを増加させるという問題がある。また、ＬＥＤを流れる電流が矩形波でない場合には電流値の測定は容易ではないという問題がある。
【０００５】
本発明は、回路コストを抑制し、かつ、矩形波でない電流の測定を容易にするＬＥＤ点灯装置および照明器具を提供することを目的とする。
【課題を解決するための手段】
【０００６】
上記目的を達成するために、本発明の一態様に係るＬＥＤ点灯装置は、異なる発光色を有する複数のＬＥＤ（Light Emitting Diode）負荷と、前記複数のＬＥＤ負荷に電力を供給する電源回路と、前記複数のＬＥＤ負荷のそれぞれに直列接続されたスイッチング素子と、前記スイッチング素子を順番に導通させることにより前記複数のＬＥＤ負荷を順送り点灯させる制御回路と、を備え、前記制御回路は、少なくとも１つの検出箇所において、前記電源回路から供給される電流量に依存する特性値を検出し、前記特性値を前記複数のＬＥＤ負荷を流れる電流値に換算し、前記少なくとも１つの検出箇所の個数は、前記複数のＬＥＤ負荷の数よりも少ない。
【発明の効果】
【０００７】
本発明に係るＬＥＤ点灯装置および照明装置よれば、回路コストを抑制し、かつ、矩形波でない電流測定を簡易にすることができる。
【図面の簡単な説明】
【０００８】
【図１】図１は、実施の形態１に係るＬＥＤ点灯装置を有する照明器具の構成例を示すブロック図である。
【図２】図２は、実施の形態１に係るＬＥＤ点灯装置を有する照明器具の順送り点灯動作における各部の電流波形および電圧波形を示す図である。
【図３Ａ】図３Ａは、実施の形態１に係るＬＥＤ点灯装置における電源回路から供給される電流量に依存する特性値の例を示す説明図である。
【図３Ｂ】図３Ｂは、実施の形態１に係るＬＥＤ点灯装置における電源回路から供給される電流量に依存する特性値の他の例を示す説明図である。
【図４】図４は、実施の形態１に係るＬＥＤ点灯装置における電流検出処理例を示すフローチャート図である。
【図５】図５は、実施の形態１に係るＬＥＤ点灯装置における色ｘに対応する検出処理例を示すフローチャート図である。
【図６】図６は、実施の形態１に係るＬＥＤ点灯装置における換算テーブルの一例を示す図である。
【図７】図７は、実施の形態２に係るＬＥＤ点灯装置を有する照明器具の構成例を示すブロック図である。
【図８】図８は、実施の形態２に係るＬＥＤ点灯装置における色ｘに対応する検出処理例を示すフローチャート図である。
【図９Ａ】図９Ａは、ＬＥＤ点灯装置を有する照明器具の外観例を示す図である。
【図９Ｂ】図９Ｂは、ＬＥＤ点灯装置を有する照明器具の他の外観例を示す図である。
【図９Ｃ】図９Ｃは、ＬＥＤ点灯装置を有する照明器具のさらに他の外観例を示す図である。
【図１０】図１０は、比較例の照明器具の構成を示す図である。
【図１１】図１１は、比較例の照明器具における各種信号波形および調光動作を示す図である。
【発明を実施するための形態】
【０００９】
（発明者の知見）
本発明者は、「背景技術」の欄において記載した照明装置に関し、以下の問題が生じることを見出した。
【００１０】
まず、本発明者の知見に係る照明器具を比較例として説明する。
【００１１】
図１０は、本発明者の知見に係る比較例の照明器具の構成を示す図である。同図の照明器具は、電源回路９０、ＬＥＤ（Light Emitting Diode）負荷９１〜９４、スイッチング素子ＳＷ３〜ＳＷ６を備える。電源回路９０は、スイッチング素子ＳＷ１、ＳＷ２、インダクタＬ０を有し、いわゆる降圧チョッパー型のＤＣ−ＤＣコンバータである。スイッチング素子ＳＷ１、ＳＷ２は、排他的にオン状態になるように制御される。インダクタＬ０は、スイッチング素子ＳＷ１、ＳＷ２の接続点から供給されるエネルギーを蓄積および放出する。
【００１２】
ＬＥＤ負荷９１〜９４は、異なる発光色を有する。ＬＥＤ負荷９１〜９４の発光色は、赤、緑、青、白であるものとする。
【００１３】
スイッチング素子ＳＷ３〜ＳＷ６は、周期毎にＬＥＤ負荷９１〜９４を順送り点灯させるように制御される。
【００１４】
図１１は、比較例の照明器具の各種信号波形および調光動作を示す図である。
【００１５】
同図の横軸は時間軸である。区間Ｔ１は、ＬＥＤ負荷９１〜９４が順送り点灯される周期を示す。区間Ｔ１は、４つのＬＥＤ負荷９１〜９４に対応する４つの区間ＴＲ、ＴＧ、ＴＢ、ＴＷに分割される。区間ＴＲは、赤色のＬＥＤ負荷９１を発光させる区間を示す。区間ＴＧは、緑色のＬＥＤ負荷９２を発光させる区間を示す。区間ＴＢは、青色のＬＥＤ負荷９３を発光させる区間を示す。区間ＴＷは、白色のＬＥＤ負荷９４を発光させる区間を示す。
【００１６】
同図の縦軸は、各種信号波形の電圧の大きさまたは電流の大きさを示す。インダクタ電流ＩＬは、インダクタＬ０を流れる電流であり、電源回路９０からインダクタＬ０を介していずれかのＬＥＤ負荷に給電される電流の波形を示す。
【００１７】
ハイサイド制御信号Ｖｇ１は、スイッチング素子ＳＷ１つまりハイサイドスイッチのゲートに印加される電圧を示し、ハイレベルでスイッチング素子ＳＷ１をオン状態にし、ローレベルでスイッチング素子ＳＷ１をオフ状態にする。
【００１８】
選択制御信号ｓｅｌ３は、赤色に対応するスイッチング素子ＳＷ３のゲートに印加される電圧を示し、ハイレベルでスイッチング素子ＳＷ３をオン状態にし、ローレベルでスイッチング素子ＳＷ３をオフ状態にする。選択制御信号ｓｅｌ４〜ｓｅｌ６は、スイッチング素子ＳＷ４〜ＳＷ６のゲートに印加される電圧であり、対応する色が異なる点以外は選択制御信号ｓｅｌ３と同様である。
【００１９】
図１１の上段は、調光率が比較的高い場合の各種信号波形を示す。調光率が比較的高い場合というのは、照明が比較的明るいことを意味する。同図の上段は、例えば調光率が８０％の場合を示す。同図の下段は、調光率が比較的低い場合の各種信号波形を示す。調光率が比較的低い場合というのは、照明が比較的暗いことを意味する。同図の下段は、例えば調光率が３０％の場合を示す。
【００２０】
図１１の上段と下段とを比較すると、電源回路９０からいずれかのＬＥＤ負荷の区間（例えば区間ＴＲ）に占める給電期間の割り合いであるデューティ（オン・デューティともいう。）が異なっている。給電区間は、図１１では、インダクタ電流ＩＬの三角波の底辺に該当する区間である。例えば、赤色のＬＥＤ負荷９１に対するデューティは、上段よりも下段の方が小さくなっている。図１１に示すようにデューティが小さいほど、電源回路９０からＬＥＤ負荷９１への給電量が小さくなり、照明光が暗くなる。
【００２１】
また、図１１では、赤色以外の緑色、青色、白色のＬＥＤ負荷９２〜９４に対するデューティも、上段よりも下段の方が小さくなっており、照明光が暗くなっている。
【００２２】
このように図１０および図１１に示す比較例の照明器具は、電源回路９０からＬＥＤ負荷へ給電する期間の割り合いであるデューティ（オン・デューティともいう。）を変化させることにより照明光の明るさを変化させる、つまり調光する。
【００２３】
ところで、図１０に示した比較例において、特許文献１と同様にＬＥＤ負荷の電流値を検出する検出ユニットを備える場合、スイッチＳＷ３〜ＳＷ６のそれぞれに電流検出用の抵抗を含む電流検出回路を備える構成となる。この構成では、ＬＥＤ負荷９１〜９４個別に電流値を検出するができる。
【００２４】
しかしながら、このような特許文献１の構成では、異なる発光色を有する複数のＬＥＤの電流値を検出するためには発光色と同数の電流検出回路を備える必要があり、複数の電流検出回路が回路コストを増加させるという問題がある。また、ＬＥＤを流れる電流が矩形波でない場合には電流値の測定は容易ではないという問題がある。
【００２５】
このような問題を解決するために、本発明の一態様に係るＬＥＤ点灯装置は、異なる発光色を有する複数のＬＥＤ（Light Emitting Diode）負荷と、前記複数のＬＥＤ負荷に電力を供給する電源回路と、前記複数のＬＥＤ負荷のそれぞれに直列接続されたスイッチング素子と、前記スイッチング素子）を順番に導通させることにより前記複数のＬＥＤ負荷を順送り点灯させる制御回路と、を備え、前記制御回路は、少なくとも１つの検出箇所において、前記電源回路から供給される電流量に依存する特性値を検出し、前記特性値を前記複数のＬＥＤ負荷を流れる電流値に換算し、前記少なくとも１つの検出箇所は、前記複数のＬＥＤ負荷の数よりも少ない。
【００２６】
このＬＥＤ点灯装置によれば、回路コストを抑制し、かつ、矩形波でない電流の測定を容易に行うことができる。
【００２７】
以下、本発明の実施の形態について、図面を用いて詳細に説明する。
【００２８】
なお、以下で説明する実施の形態は、いずれも本発明の一包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２９】
（実施の形態１）
［１．１  ＬＥＤ点灯装置および照明器具の構成］
まず、実施の形態１に係るＬＥＤ点灯装置を備える照明器具の構成例について説明する。
【００３０】
図１は、実施の形態１に係るＬＥＤ点灯装置３０を有する照明器具１００の構成例を示すブロック図である。同図の照明器具１００は、ＡＣ−ＤＣ電源１０、光源２０およびＬＥＤ点灯装置３０を備える。
【００３１】
ＡＣ−ＤＣ電源１０は、例えば商用１００Ｖ電源に接続され、交流電力を入力し直流電力に変換する。
【００３２】
光源２０は、ＬＥＤ負荷２１〜２４を備える。ＬＥＤ負荷２１〜２４は、異なる発光色を有する。ＬＥＤ負荷２１〜２４の発光色は、例えばＲ（赤）、Ｇ（緑）、Ｂ（青）、Ｗ（白）である。
【００３３】
ＬＥＤ負荷２１は、具体的な回路例として、ＬＥＤｄ１〜ｄ３と、ＬＥＤｄ１〜ｄ３と並列に接続された平滑コンデンサＣ２と、ＬＥＤｄ１〜ｄ３および平滑コンデンサＣ２を含む並列回路と直列に接続された逆流防止用のダイオードＤａと、電源オフ時の放電用の抵抗Ｒ２とを有する。
【００３４】
ＬＥＤｄ１〜ｄ３は、直列接続された同じ発光色のＬＥＤ発光素子であり、トランジスタ素子Ｍ３と直列に接続される。
【００３５】
平滑コンデンサＣ２は、インダクタＬ１からダイオードＤａを介して供給されるインダクタ電流を平滑化する。
【００３６】
ダイオードＤａは、平滑コンデンサＣ２からインダクタＬ１に電流が逆流することを防止する。つまり、ダイオードＤａは、平滑コンデンサＣ２にチャージされた電荷をＬＥＤｄ１〜ｄ３のみに供給させる。
【００３７】
抵抗Ｒ２は、高抵抗値を有し、電源オン状態からオフ状態になった後に平滑コンデンサＣ２の電荷を放電させる。
【００３８】
ＬＥＤ負荷２２〜２４は、発光色が異なる点以外はＬＥＤ負荷２１と類似の構成である。なお、ＬＥＤ負荷２１は、平滑コンデンサＣ２、逆流防止用のダイオードＤａを備えない構成であってもよい。また、ＬＥＤ負荷２２〜２４も同様である。
【００３９】
ＬＥＤ点灯装置３０は、異なる発光色を有する複数のＬＥＤ負荷２１〜２４を順送り点灯させる。そのためＬＥＤ点灯装置３０は、電源回路３１、セレクタ回路３２および制御回路３３を備える。
【００４０】
電源回路３１は、ＡＣ−ＤＣ電源１０からの直流電力を電圧の異なる直流電力に変換し、変換した直流電力を光源２０に供給するＤＣ−ＤＣコンバータである。電源回路３１は、降圧チョッパー回路の例を示す。具体的には、電源回路３１は、レギュレータ３４、ＨＶＩＣ（High Voltage Integrated Circuit）３５、入力抵抗Ｒ６、Ｒ７、スイッチング素子Ｍ１、Ｍ２およびインダクタＬ１を備える。
【００４１】
レギュレータ３４は、ＡＣ−ＤＣ電源１０からの直流電力を受け、ＨＶＩＣ３５および制御回路３３に安定化した電源電圧を供給する。
【００４２】
ＨＶＩＣ３５は、制御回路３３の制御に従って、入力抵抗Ｒ６、Ｒ７を介してスイッチング素子Ｍ１、Ｍ２にゲート信号を供給する。スイッチング素子Ｍ１、Ｍ２のゲート信号は、高速かつ周期的に排他的にアクティブになる。
【００４３】
スイッチング素子Ｍ１、Ｍ２は、ＡＣ−ＤＣ電源１０から供給される直流電圧とグラウンドレベルとを交互にインダクタＬ１に接続するためのハイサイドスイッチ、ローサイドスイッチである。
【００４４】
スイッチング素子Ｍ１は、外部から供給される直流電圧を受ける入力電源線に接続される。
【００４５】
スイッチング素子Ｍ２は、接地線とスイッチング素子Ｍ１との間に接続される。
【００４６】
インダクタＬ１は、スイッチング素子Ｍ１とスイッチング素子Ｍ２との接続点に接続され、スイッチング素子Ｍ１、Ｍ２のスイッチングに応じて電気エネルギーを蓄積および放出する。これにより、インダクタＬ１は、複数のＬＥＤ負荷２１〜２４に電流を供給する。
【００４７】
また、電源回路３１は、電源回路３１からＬＥＤ負荷に供給される電流量に依存する特性値を検出するための、少なくとも１つの検出箇所を有する。少なくとも１つの検出箇所は、それぞれ電源回路３１の内部に設けられる。また、少なくとも１つの検出箇所の個数は、複数のＬＥＤ負荷の数よりも少ない。
【００４８】
より具体的には、少なくとも１つの検出箇所は、図１では、第１の検出箇所Ｄ１、第２の検出箇所Ｄ２、および、第３の検出箇所のうちの少なくとも１つである。
【００４９】
第１の検出箇所Ｄ１は、スイッチング素子Ｍ１（ハイサイドスイッチ）と入力電源線との接続点である。第２の検出箇所Ｄ２は、スイッチング素子Ｍ１（ハイサイドスイッチ）とスイッチング素子Ｍ２（ローサイドスイッチ）との接続点である。第３の検出箇所Ｄ３は、インダクタＬ１と複数のＬＥＤ負荷２１〜２４との接続点である。
【００５０】
ここで、少なくとも１つの検出箇所は、第１の検出箇所、第２の検出箇所、および、第３の検出箇所のうちのいずれか１つであってもよい。また、少なくとも１つの検出箇所は、第１の検出箇所、第２の検出箇所、および、第３の検出箇所のうちのいずれか２つであってもよい。あるいは、少なくとも１つの検出箇所は、第１の検出箇所、第２の検出箇所、および、第３の検出箇所の３つであってもよい。
【００５１】
実施の形態１では、少なくとも１つの検出箇所は、第１の検出箇所、第２の検出箇所、および、第３の検出箇所のうちのいずれか１つであるものとして説明する。
【００５２】
セレクタ回路３２は、複数のＬＥＤ負荷２１〜２４を順次巡回的に選択することによって、選択したＬＥＤ負荷に対して電源回路３１から給電させる。
【００５３】
そのため、セレクタ回路３２は、トランジスタ素子Ｍ３〜Ｍ６を備える。トランジスタ素子Ｍ３〜Ｍ６のそれぞれは、複数のＬＥＤ負荷２１〜２４のうちのいずれかのＬＥＤ負荷と直列に接続される。例えば図１では、トランジスタ素子Ｍ３は、ＬＥＤ負荷２１に直列に接続される。トランジスタ素子Ｍ４は、ＬＥＤ負荷２２に直列に接続される。トランジスタ素子Ｍ５は、ＬＥＤ負荷２３に直列に接続される。トランジスタ素子Ｍ６は、ＬＥＤ負荷２４に直列に接続される。これらのトランジスタ素子Ｍ３〜Ｍ６は、例えば、排他的にオン状態になるように制御される。これにより、ＬＥＤ負荷２１〜２４は排他的につまり１つずつ発光する。
【００５４】
制御回路３３は、複数のＬＥＤ負荷２１〜２４から１つのＬＥＤ負荷を順次巡回的に選択するようにセレクタ回路３２を制御する。制御回路３３は、例えば、マイコン（マイクロコンピュータまたはマイクロコントローラ）である。マイコンで構成された制御回路３３は、プログラムおよびデータを記憶するメモリ、プログラムを実行するＣＰＵ、時計回路、タイマー３６、入出力ポート、ＡＤＣ（Analog Digital Converter）３７備える。制御回路３３は、少なくとも１つの検出箇所において、電源回路３１から供給される電流量に依存する特性値を検出し、特性値を複数のＬＥＤ負荷を流れる電流値に換算する。制御回路３３は、複数のＬＥＤ負荷２１〜２４のそれぞれに割り当てられた周期毎に特性値を検出する。
【００５５】
ＡＤＣ３７は、少なくとも１つの検出箇所の電位に比例する検出信号ｅ１〜ｅ３のいずれかのアナログ信号が入力され、当該アナログ信号をデジタル信号に変換する。デジタル信号に変換された検出信号に基づいて、制御回路３３は、電源回路３３から供給される電流量に依存する特性値を検出する。ここで、特性値は、少なくとも１つの検出箇所におけるインダクタＬ１を流れる電流の変化点である第１変化点から第２変化点までの時間の長さ、または、複数のＬＥＤ負荷２１〜２４のそれぞれに割り当てられた周期内における所定条件に対応するインダクタＬ１に流れる電流値である。
【００５６】
［１．２  ＬＥＤ点灯装置および照明器具の動作例］
以上のように構成されたＬＥＤ点灯装置３０を有する照明器具１００の動作について説明する。まず、スイッチング素子Ｍ３〜Ｍ６を順番に導通させることによって複数のＬＥＤ負荷を順送りで点灯させる順送り点灯の動作について説明する。
【００５７】
図２は、実施の形態１に係るＬＥＤ点灯装置３０を有する照明器具１００の順送り点灯動作における各部の電流波形および電圧波形を示す図である。同図の横軸は時間軸である。縦軸は各部の電流または電圧を示す。インダクタ電流ＩＬは、インダクタＬ１を流れる電流、つまり、電源回路３１からいずれかのＬＥＤ負荷に供給される電流を示す。同図では、色Ａに対応する２つの一巡周期ＴＡを示す。同図では、一巡周期ＴＡの長さは固定であるものとする。
【００５８】
一巡周期ＴＡは、複数のＬＥＤ負荷２１〜２４と同数の４分割された周期Ｔｒ、Ｔｇ、Ｔｂ、Ｔｗから構成される。同図では、４等分されているものとする。周期Ｔｒ、Ｔｇ、Ｔｂ、Ｔｗは、それぞれ赤、緑、青、白に対応するものとする。
【００５９】
ゲート電圧Ｖ０は、制御回路３３からＨＶＩＣ３５を介してスイッチング素子Ｍ１のゲートに入力される電圧を示す。ゲート電圧Ｖ０がハイレベルのときスイッチング素子Ｍ１（つまりハイサイドスイッチ）はオン状態になる。ゲート電圧Ｖ０がハイレベルの区間ではインダクタ電流ＩＬは増加していく。このとき、インダクタＬ１は電気エネルギーを磁気エネルギーとして蓄積する。ゲート電圧Ｖ０がローレベルのときスイッチング素子Ｍ１はオフ状態になる。スイッチング素子Ｍ１がオン状態からオフ状態に切り替わった直後は、インダクタＬ１は蓄積したエネルギーを放出する、つまり、インダクタＬ１の逆起電力によりインダクタ電流ＩＬが０まで減少しながらＬＥＤ負荷に供給される。その結果、給電区間は、ゲート電圧Ｖ０のハイレベル区間よりも長くなる。インダクタ電流ＩＬは同図では三角波となる。電源回路３１からＬＥＤ負荷に給電される給電区間は、１つの三角波の区間と等しい。
【００６０】
ゲート電圧Ｖｒは、制御回路３３からスイッチング素子Ｍ３のゲートに入力される電圧を示す。ゲート電圧Ｖｒがハイレベルのときスイッチング素子Ｍ３はオン状態になり、つまり、対応するＬＥＤ負荷２１が選択された状態となる。また、ゲート電圧Ｖｒのハイレベル区間は、ゲート電圧Ｖ０のハイレベル区間を含み、かつ対応するインダクタ電流ＩＬの三角波を含む期間になるように制御される。ゲート電圧Ｖｇ、Ｖｂ、Ｖｗも、ゲート電圧Ｖｒと同様である。なお、ゲート電圧Ｖｒ、Ｖｇ、Ｖｂ、Ｖｗのハイレベル区間同士の間には、４つともローレベルになるデッドタイムが設けられる。
【００６１】
ＬＥＤ電流Ｉｒは、ＬＥＤ負荷２１内のＬＥＤｄ１〜ｄ３を流れる電流を示す。給電区間の後、つまり、電源回路３１からＬＥＤ負荷２１への給電が終わった後もＬＥＤ電流Ｉｒは０にならずに電流が減少しながら流れ続けている。これは、平滑コンデンサＣ２および逆流防止ダイオードＤａによる。
【００６２】
ＬＥＤ電流Ｉｇ、Ｉｂ、Ｉｗについても、ＬＥＤ電流Ｉｒと同様である。
【００６３】
図２に示すように、ゲート電圧Ｖ０のパルス幅によって、インダクタ電流量、つまり発光量が定まる。一巡周期ＴＡにおける混合発光色は、４つの色Ｒ、Ｇ、Ｂ、Ｗの混合比率によって定まる。４つの色Ｒ、Ｇ、Ｂ、Ｗの混合比率は、区間Ｔｒ、Ｔｇ、Ｔｂ、Ｔｗにおけるゲート電圧Ｖ０の４つのパルス幅の比率に応じて定まる。つまり、一巡周期ＴＡにおける混合発光色はゲート電圧Ｖ０の４つのパルス幅の比率に応じて定めることができる。
【００６４】
次に、制御回路３３が電流値測定のために検出する特性値の例について説明する。
【００６５】
図３Ａは、実施の形態１に係るＬＥＤ点灯装置における電源回路から供給される電流量に依存する特性値の例を示す説明図である。同図の横軸は時間軸である。縦軸には、図２に示したインダクタ電流ＩＬと、スイッチング素子Ｍ１のゲート電圧Ｖ０を図示してある。
【００６６】
同図では、特性値として特性値Ｌ１〜特性値Ｌ３の３例を示している。特性値Ｌ１〜特性値Ｌ３は、いずれも検出箇所におけるインダクタＬ１を流れる電流の変化点である第１変化点から、他の変化点である第２変化点までの時間の長さとして定義される。制御回路３３は、例えば、ＬＥＤ負荷２１〜２４のそれぞれに割り当てられた周期Ｔｒ、Ｔｇ、Ｔｂ、Ｔｗ毎に、第１の検出箇所から第３の検出箇所のうちの１箇所において特性値Ｌ１〜特性値Ｌ３のうちの１つを測定する。
【００６７】
特性値Ｌ１は、スイッチング素子Ｍ２（ローサイドスイッチ）に回生電流が流れる時間であり、すなわち、スイッチング素子Ｍ２がターンオンしたタイミングから、前記ローサイドスイッチに流れる回生電流が非０から０になるタイミングまでの時間である。同図の例では、特性値Ｌ１の第１変化点は変化点Ｐ２であり、第２変化点は変化点Ｐ３である。すなわち、特性値Ｌ１は、スイッチング素子Ｍ２（ローサイドスイッチ）がターンオンしたタイミング（変化点Ｐ２）から、スイッチング素子Ｍ２を流れる回生電流が非０から０になるタイミング（変化点Ｐ３）までの時間である。
【００６８】
特性値Ｌ２は、対象となるＬＥＤ負荷に割り当てられた周期内の時間であって、インダクタＬ１に流れる電流ＩＬが０である時間である。同図の例では特性値Ｌ２の第１変化点は変化点Ｐ３であり、第２変化点は変化点Ｐ４である。言い換えれば、特性値Ｌ２は、スイッチング素子Ｍ２を流れる回生電流が非０から０になるタイミング（変化点Ｐ３）から、当該ＬＥＤ負荷に割り当てられた当該周期の終点（変化点Ｐ４）までの時間である。
【００６９】
すなわち、特性値Ｌ３は、ＬＥＤ負荷に割り当てられた周期内の時間であって、インダクタＬ１に流れる電流ＩＬが非０である時間である。同図の例では、特性値Ｌ３の第１変化点は変化点Ｐ１であり、第２変化点は変化点Ｐ３である。言い換えれば、特性値Ｌ３は、インダクタ電流ＩＬが０から非０になるタイミング（変化点Ｐ１）から、インダクタ電流ＩＬが非０から０になるタイミング（変化点Ｐ３）までの時間である。
【００７０】
なお、図３Ａにおいて、変化点Ｐ１は、インダクタ電流ＩＬが０から非０になるタイミングと実質的に同じタイミングであればよい。例えば、変化点Ｐ１は、検出対象となるＬＥＤ負荷が割り当てられた周期（Ｔｒ、Ｔｇ、Ｔｂ、Ｔｗのいずれか）の開始タイミングと定義してもよいし、ゲート電圧Ｖ０の立ち上がりタイミングと定義してもよい。
【００７１】
変化点Ｐ２は、スイッチング素子Ｍ２（ローサイドスイッチ）がターンオンしたタイミングと実質的に同じタイミングであればよい。例えば、変化点Ｐ２は、インダクタ電流ＩＬのピーク値のタイミングと定義してもよいし、ゲート電圧Ｖ０の立ち上がりタイミングと定義してもよい。
【００７２】
変化点Ｐ３は、スイッチング素子Ｍ２を流れる回生電流が非０から０になるタイミングと実質的に同じタイミングであればよい。例えば、変化点Ｐ３は、インダクタ電流ＩＬが非０から０になるタイミングと定義してもよい。
【００７３】
制御回路３３は、たとえば、第１変化点でタイマー３６のタイマー動作を開始し、第２変化点でタイマー３６のタイマー動作を停止することによって、特性値を容易に検出することができる。なぜなら、変化点Ｐ１、Ｐ２、Ｐ４のタイミングは、制御回路３３（マイコン）が決定するので、検出箇所からの検出信号を測定しなくても検出することができる。これに対して、変化点Ｐ３は、ＬＥＤ負荷を実際に流れる電流に応じてタイミングが異なるので、制御回路３３は、検出箇所からの検出信号を、ＡＤＣ３７を介して検出する必要がある。
【００７４】
次に、制御回路３３が電流値測定のために検出する特性値の他の例について説明する。
【００７５】
図３Ｂは、実施の形態１に係るＬＥＤ点灯装置における電源回路から供給される電流量に依存する特性値の他の例を示す説明図である。同図の横軸は時間軸である。縦軸には、図２に示したインダクタ電流ＩＬと、スイッチング素子Ｍ１のゲート電圧Ｖ０を図示してある。
【００７６】
同図では、特性値として特性値Ｉｐと特性値Ｉｓの２例を示している。特性値Ｉｐ、特性値Ｌｓは、ＬＥＤ負荷２１〜２４のそれぞれに割り当てられた周期における所定条件に対応するインダクタＬ１の電流値として定義される。
【００７７】
制御回路３３は、例えば、ＬＥＤ負荷２１〜２４のそれぞれに割り当てられた周期Ｔｒ、Ｔｇ、Ｔｂ、Ｔｗ毎に、第１の検出箇所から第３の検出箇所のうちの１箇所において、図３Ａに示した特性値Ｌ１〜特性値Ｌ３、特性値Ｉｐ、および特性値Ｉｓのうちの１つを測定すればよい。
【００７８】
特性値Ｉｐは、対象となるＬＥＤ負荷に割り当てられた周期内におけるインダクタ電流のピーク値である。この場合の上記の「所定条件」は、電流値のピークである。
【００７９】
特性値Ｉｓは、対象となるＬＥＤ負荷に割り当てられた周期内におけるインダクタ電流の返金値である。この場合の上記の「所定条件」は、対応する周期における電流値の平均値である。
【００８０】
制御回路３３は、検出箇所からの検出信号をＡＤＣ３７を介して検出し、ピーク値Ｉｐを検出し、または平均値Ｉｓを算出すればよい。
【００８１】
次に、制御回路３３によるＬＥＤ負荷２１〜２４の電流値を検出する電流検出処理例について説明する。
【００８２】
図４は、実施の形態１に係るＬＥＤ点灯装置における電流検出処理例を示すフローチャート図である。
【００８３】
同図に示すように制御回路３３は、赤色に対応するＬＥＤ負荷２１に対する検出処理をし（Ｓ４１）、緑色に対応するＬＥＤ負荷２２に対する検出処理をし（Ｓ４２）、青色に対応するＬＥＤ負荷２３に対する検出処理をし（Ｓ４３）、白色に対応するＬＥＤ負荷２４に対する検出処理をする（Ｓ４３）。例えば、制御回路３３は、図４の検出処理を、ＬＥＤ点灯装置３０の動作開始時に実行し、１日に１回以上定期的に実行し、または、ユーザ操作に従って実行すればよい。
【００８４】
図５は、実施の形態１に係るＬＥＤ点灯装置における色ｘに対応する検出処理例を示すフローチャート図である。図５は、図４のステップＳ４１〜Ｓ４４のそれぞれに該当する。色ｘは、赤、緑、青、白の代表として用いている。
【００８５】
同図に示すように、制御回路３３は、現在時刻が色ｘに対応するＬＥＤ負荷の周期Ｔｘの範囲内かどうかを判定し（Ｓ５１）、範囲内でなければ色ｘに対応する検出処理ｘを終了し、範囲内であれば色ｘにステップＳ５２に進む。
【００８６】
ステップＳ５２において、制御回路３３は、検出箇所ｚの電位に第１変化点が発生したか否かを判定し（Ｓ５２）、発生したと判定したときタイマー３６のカウント動作を開始する（Ｓ５３）。ここで、検出箇所ｚは、上記の第１の検出箇所〜第３の検出箇所のいずれか１つである。また、第１変化点は、図３Ａの例では、特性値Ｌ１〜特性値Ｌ３のいずれか１つで定義された第１変化点をいう。
【００８７】
さらに、制御回路３３は、検出箇所ｚの電位に第２変化点が発生したか否かを判定し（Ｓ５４）、発生したと判定したときタイマー３６のカウント動作を停止する（Ｓ５５）。ここで、第２変化点は、図３Ａの例では、特性値Ｌ１〜特性値Ｌ３のいずれか１つで定義された第２変化点であって、ステップＳ５２の第１変化点とペアの第２変化点をいう。
【００８８】
その後、制御回路３３は、換算テーブルを参照して特性値（タイマーのカウント値）を電流値に換算する（Ｓ５６）。換算テーブルの例を図６に示す。図６の換算テーブルの例は、特性値（タイマー３６のカウント値）と電流値とを対応付けている。制御回路３３は、換算テーブルを参照することによって、特性値を電流値に換算する。換算テーブルは、例えば、設計値あるいは実測値に基づいて予め作成し、メモリに保存される。
【００８９】
なお、ステップＳ５６に制御回路３３は、換算テーブルの代わりに換算式を用いて特性値を電流値に換算してもよい。
【００９０】
以上のように実施の形態１に係るＬＥＤ点灯装置３０は、異なる発光色を有する複数のＬＥＤ負荷２１〜２４と、複数のＬＥＤ負荷２１〜２４に電力を供給する電源回路３１と、複数のＬＥＤ負荷２１〜２４のそれぞれに直列接続されたスイッチング素子Ｍ３〜Ｍ６と、スイッチング素子Ｍ３〜Ｍ６を順番に導通させることにより複数のＬＥＤ負荷２１〜２４を順送り点灯させる制御回路３３と、を備え、制御回路３３は、少なくとも１つの検出箇所において、電源回路３１から供給される電流量に依存する特性値を検出し、特性値を複数のＬＥＤ負荷２１〜２４を流れる電流値に換算し、少なくとも１つの検出箇所の個数は、複数のＬＥＤ負荷２１〜２４の数よりも少ない。
【００９１】
これによれば、回路コストを抑制し、かつ、矩形波でない電流の測定を容易にすることができる。特性値を検出は、矩形波でない電流を直接的に測定することよりも容易に行うことができる。
【００９２】
ここで、前記少なくとも１つの検出箇所は、それぞれ前記電源回路３１の内部に設けられてもよい。
【００９３】
これによれば、前記検出箇所はいずれも前記電源回路の内部に設けられるので、ＬＥＤ負荷に検出用の端子、配線、コネクタなどを設ける必要がなく、回路コストを低減することができる。また、異なる種類（例えば異なる定格）のＬＥＤ負荷を回路変更することなく電源回路と組み合わせることができる。
【００９４】
ここで、電源回路３１は、外部から供給される直流電圧を受ける入力電源線に接続されたスイッチング素子Ｍ１（ハイサイドスイッチ）と、接地線とスイッチング素子Ｍ１（ハイサイドスイッチ）とに接続されたスイッチング素子Ｍ２（ローサイドスイッチ）と、ハイサイドスイッチとローサイドスイッチとの接続点に接続され、複数のＬＥＤ負荷２１〜２４に電流を供給するためのインダクタＬ１とを備え、前記少なくとも１つの検出箇所は、ハイサイドスイッチと入力電源線との接続点である第１の検出箇所、ハイサイドスイッチとローサイドスイッチとの接続点である第２の検出箇所、および、インダクタＬ１と複数のＬＥＤ負荷２１〜２４との接続点である第３の検出箇所のうちの少なくとも１つを含んでいてもよい。
【００９５】
これによれば、検出箇所の数を少なくすることができるので回路コストを抑制することができる。
【００９６】
例えば、前記少なくとも１つの検出箇所は、第１の検出箇所、第２の検出箇所、および、第３の検出箇所のうちのいずれか１つであってもよい。
【００９７】
例えば、前記少なくとも１つの検出箇所は、第１の検出箇所、第２の検出箇所、および、第３の検出箇所のうちのいずれか２つであってもよい。
【００９８】
例えば、前記少なくとも１つの検出箇所は、第１の検出箇所、第２の検出箇所、および、第３の検出箇所の３つであってもよい。
【００９９】
ここで、制御回路３３は、複数のＬＥＤ負荷２１〜２４のそれぞれに割り当てられた周期毎に特性値を検出してもよい。
【０１００】
これによれば、異なる色に対応する複数のＬＥＤ負荷毎に、矩形波でない電流であっても特性値を容易に検出することができる。
【０１０１】
ここで、制御回路３３は、少なくとも１つの検出箇所におけるインダクタを流れる電流の変化点である第１変化点から第２変化点までの時間の長さを、特性値として検出してもよい。
【０１０２】
これによれば、特性値は第１変化点から第２変化点までの時間（の長さ）であるので、タイマーまたはカウンタを用いて容易に検出することができる。
【０１０３】
ここで、第１変化点および第２変化点の一方は、インダクタを流れる電流が非０から０への変化点であってもよい。
【０１０４】
ここで、制御回路３３は、複数のＬＥＤ負荷２１〜２４のそれぞれに割り当てられた周期毎に特性値を検出し、特性値は、ローサイドスイッチがターンオンしたタイミングから、ローサイドスイッチに流れる回生電流が非０から０になるタイミングまでの期間であってもよい。
【０１０５】
ここで、制御回路３３は、複数のＬＥＤ負荷のそれぞれに割り当てられた周期毎に特性値を検出し、特性値は、当該周期内の時間であってインダクタＬ１に流れる電流が０である時間であってもよい。
【０１０６】
ここで、制御回路３３は、複数のＬＥＤ負荷２１〜２４のそれぞれに割り当てられた周期毎に特性値を検出し、特性値は、当該周期内の時間であってインダクタＬ１に流れる電流が非０である時間であってもよい。
【０１０７】
ここで、制御回路３３は、複数のＬＥＤ負荷のそれぞれに割り当てられた周期毎に特性値を検出し、特性値は、当該周期内における所定条件に対応するインダクタに流れる電流値であってもよい。
【０１０８】
これによれば、特性値はインダクタの電流値なので、例えばＡＤＣを用いて容易に検出することができる。
【０１０９】
ここで、特性値は、当該周期内におけるインダクタ電流のピーク値であってもよい。
【０１１０】
ここで、特性値は、当該周期内におけるインダクタ電流の平均値であってもよい。
【０１１１】
また、実施の形態１に係る照明器具１００は、上記のＬＥＤ点灯装置を備える。
【０１１２】
これによれば、回路コストを抑制し、かつ、矩形波でない電流の測定を容易にすることができる。
【０１１３】
（実施の形態２）
続いて、実施の形態２に係るＬＥＤ点灯装置３０について説明する。本実施の形態では実施の形態１の加えて、電源回路３１内に第４の検出箇所を設ける例について説明する。第４の検出箇所は、ＡＣ−ＤＣ電源１０から電源回路３１に供給される直流電源電圧を受けるための電源入力端子、または、電源入力端子に接続された内部電源配線の一部分に設けられる。第４の検出箇所は、特性値の検出に用いるだけでなく、ＡＣ−ＤＣ電源１０からの直流電源電圧の変動、つまり、ＡＣ電源電圧の変動を検出するために用いられる。
【０１１４】
［２．１  ＬＥＤ点灯装置および照明器具の構成］
図７は、実施の形態２に係るＬＥＤ点灯装置を有する照明器具の構成例を示すブロック図である。図７は、図１と比べて、電源回路３１の内部に第４の検出箇所Ｄ４が追加された点と、制御回路３３による検出処理の一部が変更された点とが異なる。以下異なる点を中心に説明する。
【０１１５】
図７に示すように、電源回路３１は、外部から（図７ではＡＣ−ＤＣ電源１０から）の直流電源電圧を受けるための電源入力端子と、電源入力端子に接続された内部電源配線とを有する。第４の検出箇所は、内部電源配線の一部、または、電源入力端子に設けられる。図７では、電源入力端子が第４の検出箇所である。第４の検出箇所の電位は検出信号ｅ４としてＡＤＣ３７に入力される。
【０１１６】
制御回路３３は、検出信号ｅ４に基づいて、電源回路３１に入力される直流電源電圧の変動を検出し、変動による影響を打ち消すようにインダクタ電流ＩＬを制御する。検出信号ｅ４は、特性値の検出に用いられるだけでなく、直流電源電圧変動の検出にも用いられる。
【０１１７】
［２．２  ＬＥＤ点灯装置および照明器具の動作］
本実施の形態における、特性値の検出によるＬＥＤ負荷の電流検出処理は、図４とほぼ同じである。ただし、図４の各ステップは、図５の代わりに図８に示す検出処理ｘを行うものとする。
【０１１８】
図８は、実施の形態２に係るＬＥＤ点灯装置における色ｘに対応する検出処理例を示すフローチャート図である。ここで、色ｘは、赤、緑、青、白の代表である。
【０１１９】
同図において、まず、制御回路３３は、図５の検出処理を行う（Ｓ８１）。その後、制御回路３３は、第４の検出箇所Ｄ４における特性値Ｃ１を検出する（Ｓ８２）。特性値Ｃ１は、例えば、図３Ａに示した特性値Ｌ１〜Ｌ３、図３Ｂに示したピーク電流値Ｉｐ、平均電流値Ｉｓのいずれか１つでよい。
【０１２０】
さらに、制御回路３３は、検出した特性値Ｃ１と同じ点灯条件で検出した過去の特性値Ｃ２を参照し（Ｓ８３）、特性値Ｃ１と特性値Ｃ２との誤差Ｅ１を算出し（Ｓ８４）、誤差Ｅ１がしきい値ｔｈ１より小さいか否かを判定する（Ｓ８５）。ここで、過去の特性値Ｃ２は、点灯条件として当該色の調光率（あるいは当該色に対応するゲート電圧Ｖ０のオンデューティ）と、第４の検出箇所における特性値とを対応させた参照テーブルとしてメモリに予め記憶させておけばよい。なお、過去の特性値Ｃ２の代わりに、点灯条件毎に定められた設定値または実測値を基準値として用いてもよい。
【０１２１】
次に、制御回路３３は、誤差Ｅ１がしきい値ｔｈ１よりも小さいと判定した場合は検出処理ｘを狩猟し、誤差Ｅ１がしきい値ｔｈ１よりも小さくないと判定した場合はステップＳ８１で換算した電流値を補正する（Ｓ８６）。この補正により、直流電源電圧の変動による影響を打ち消すようにインダクタ電流を制御することを可能にする。
【０１２２】
以上のように実施の形態２に係るＬＥＤ点灯装置３０において、電源回路３１は、外部からの直流電源電圧を受けるための電源入力端子と、電源入力端子に接続された内部電源配線とを有し、少なくとも１つの検出箇所は、さらに第４の検出箇所を含み、第４の検出箇所は、内部電源配線の一部、または、電源入力端子である。
【０１２３】
これによれば、第４の検出箇所において、前記電源回路に外部から入力される直流電源電圧の変動も検出し、変動による影響を打ち消すようにインダクタ電流を制御することを可能にする。
【０１２４】
ここで、少なくとも１つの検出箇所は、第１の検出箇所から第３の検出箇所のうちの１つ、および、第４の検出箇所の２つであってもよい。
【０１２５】
これによれば、検出箇所をたった２つにすることができ、回路コストを抑制し、矩形波でない電流の測定を容易にし、しかも、直流電源電圧の変動による影響を打ち消すことを可能にする。
【０１２６】
なお、ＬＥＤ負荷２１〜２４の発光色の組み合わせは、赤、緑、青、白に限らない。
【０１２７】
次に、ＬＥＤ点灯装置３０を備える照明器具１００の具体例について、図９Ａ〜図９Ｃを用いて説明する。
【０１２８】
図９Ａは、実施の形態に係るＬＥＤ点灯装置３０を有する照明器具１００の外観例を示す図である。図９Ａでは、照明器具１００の例として、ダウンライト１００ａの外観を示す。
【０１２９】
ダウンライト１００ａは、回路ボックス１０１ａ、灯体１０２ａおよび配線１０３ａを備える。回路ボックス１０１ａは、実施の形態に係るＬＥＤ点灯装置３０の全部または一部を収納する筐体である。灯体１０２ａは、光源２０を装着した灯体である。配線１０３ａは、回路ボックス１０１ａと灯体１０２ａ内の光源２０とを電気的に接続する。
【０１３０】
図９Ｂは、実施の形態に係るＬＥＤ点灯装置３０を有する照明器具１００の他の外観例を示す図である。図９Ｂでは、照明器具１００の例として、スポットライト１００ｂの外観を示す。スポットライト１００ｂは、回路ボックス１０１ｂ、灯体１０２ｂおよび配線１０３ｂを備える。これらの回路ボックス１０１ｂ、灯体１０２ｂおよび配線１０３ｂは、図９Ａの回路ボックス１０１ａ、灯体１０２ａおよび配線１０３ａと同様である。
【０１３１】
図９Ｃは、実施の形態に係るＬＥＤ点灯装置３０を有する照明器具１００のさらに他の外観例を示す図である。図９Ｃでは、照明器具１００の例として、スポットライト１００ｃの外観を示す。スポットライト１００ｃは、回路ボックス１０１ｃおよび灯体１０２ｃを備える。これらも図９Ａの回路ボックス１０１ａおよび灯体１０２ａと同様である。
【０１３２】
なお、光源２０内のＬＥＤｄ１〜ｄ１２は、いわゆる発光ダイオードだけでなく、有機ＥＬ発光素子（ＯＬＥＤ：Organic Light Emitting Diode）、レーザー発光素子などの固体発光素子でもよい。
【０１３３】
以上、本開示の一つまたは複数の態様に係るＬＥＤ点灯装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の範囲内に含まれる。
【符号の説明】
【０１３４】
２１、２２、２３、２４  ＬＥＤ負荷
３０  ＬＥＤ点灯装置
３１  電源回路
３２  セレクタ回路
３３  制御回路
３６  タイマー
３７  ＡＤＣ
１００  照明器具
Ｃ２、Ｃ３、Ｃ４、Ｃ５  平滑コンデンサ
ｄ１〜ｄ１２  ＬＥＤ
Ｄａ、Ｄｂ、Ｄｃ、Ｄｄ    ダイオード
Ｌ１  インダクタ
Ｍ１  スイッチング素子（ハイサイドスイッチ）
Ｍ２  スイッチング素子（ローサイドスイッチ）
Ｍ３、Ｍ４、Ｍ５、Ｍ６  スイッチング素子
Ｒ２〜Ｒ５  抵抗
【図１】
2020095789.tif 000003
【図２】
2020095789.tif 000004
【図３Ａ】
2020095789.tif 000005
【図３Ｂ】
2020095789.tif 000006
【図４】
2020095789.tif 000007
【図５】
2020095789.tif 000008
【図６】
2020095789.tif 000009
【図７】
2020095789.tif 000010
【図８】
2020095789.tif 000011
【図９Ａ】
2020095789.tif 000012
【図９Ｂ】
2020095789.tif 000013
【図９Ｃ】
2020095789.tif 000014
【図１０】
2020095789.tif 000015
【図１１】
2020095789.tif 000016